(57)【要約】【課題】従来の部材の、視覚的にあまり目立たないようになるだけでなく、波に応じた生動感を与えないなどの問題点のために魚類捕獲の不都合がない部材の提供。イカ形状脚【解決手段】釣り針が取り付けられている部材において、全体がイカの形状に構成されるとともに、その下端に複数の切欠片が形成されている、前記部材。【選択図】図１
2006212030.tif 000002
【特許請求の範囲】
【請求項１】
釣り針が取り付けられている部材であって、全体がイカの形状に構成されるとともに、その下端に複数の切欠片が形成されている、前記部材。
【請求項２】
魚皮、ゴム皮または不織布を用いる、請求項１に記載の部材。
【発明の詳細な説明】
【技術分野】
【０００１】
本発明は、魚類の誘き寄せ用の部材（餌）に係り、より詳しくは釣りをするとき釣り針に取り付けられている集魚部材をイカ形状に切り取って用い、その下端を複数個に切ることであたかも生きて動く餌のように錯覚するようにさせて魚類を集魚及び誘き寄せることができる誘き寄せ用の餌に関する。
なお、本明細書においては、「部材」を「釣り針部材」、「集魚部材」または「餌」と同義に用いることがある。
【背景技術】
【０００２】
一般に、釣り針に生きている生餌を付けて釣るか、或いは餌の代わりにエビ状の不織布を釣り針に付けて魚を誘き寄せて獲る技術がよく知られている。
【０００３】
前述のエビ状の誘き寄せ用の餌は、図４に示したように、釣り針１１５の結び目部１０５に誘き寄せ用の餌１００を重ねて形成した後、紐１０２で結び付けて使用するように構成されている。
【発明の開示】
【発明が解決しようとする課題】
【０００４】
しかし、このような誘き寄せ用の餌は両側の羽根１１０が水中で互いにくっつく現象のために視覚的にあまり目立たないようになるだけでなく、波に応じた生動感を与えないなどの問題点を抱いているので、魚類捕獲に不都合がある。
したがって、本発明の課題は、上述した問題点を解決することにある。
【課題を解決するための手段】
【０００５】
本発明の発明者らは、上記課題の解決を目的として鋭意研究を進める中で、集魚及び誘き寄せ用の部材の構成について検討した結果、その形状が集魚性に大きく影響し、かかる形状を従来のものとは異なるものとすることによって驚くべきことに上記課題が解決されることを見出し、さらに研究を重ねた結果、本発明を完成するに至った。
すなわち、本発明は、釣り針が取り付けられている部材において、全体がイカの形状に構成されるとともに、その下端に複数の切欠片が形成されている、前記部材に関するイカ形状。
【０００６】
本発明は、上述した問題点を解決するために創作されたもので、その目的は、捕獲効果を一層向上させることができる誘き寄せ用の餌を提供することにある。かかる目的は、釣りをするとき釣り針に取り付けられている集魚部材や誘き寄せ用の部材をイカ形状に切り取り、その下端をイカ脚のように複数の切欠片を有するように切ることにより、該部材が、水中において波の作用によって、従来品に比較してより生き生きとうねるように構成することで、魚類を集魚及び誘き寄せることによって達成される。
【０００７】
また、本発明は、魚皮、ゴム皮(rubber skin)または不織布を用いる前記部材に関する。
【発明の効果】
【０００８】
本発明による誘き寄せ用の部材（餌）は、上記のとおりその形状をイカ形状に切り取った後、その下端をイカ脚状に切った切欠片を有するように構成することにより、別の餌を用いることなく魚類を集魚及び誘き寄せて捕獲効果を一層向上させることができる。
また、本発明のうち、魚皮、ゴム皮または不織布を用いるものにおいては、魚類の誘引効果がさらに高くなるのみならず、製造が安価に行われる。
【発明を実施するための最良の形態】
【０００９】
以下、添付図面を参照して本発明の好適な実施形態を詳細に説明する。
【００１０】
図１は、本発明による集魚部材を示す斜視図である。
【００１１】
ここで、集魚部材は不織布を用いたものを例として説明する。
【００１２】
同図において、針部２１と頭部２２とからなる釣り針２０の頭部２２にイカ形状の集魚部材３０の上端３１を通常的な手段の釣り糸２３で固定し、前記イカ形状の集魚部材３０は下端を所定の長さ及び間隔で切って形成した複数の切欠片３５で形成される。切欠片３５の数はとくに限定されず、部材の大きさや作業性等を考慮して決定されるが、５〜２５片が好ましく、より好ましくは８〜２０片であり、最も好ましくは１０〜１６片である。また、本発明の部材の大きさも、捕獲対象とする魚類の大きさに応じて適宜決定することができる。
【００１３】
図２は、本発明の図１に示した実施イカ形状部材の使用状態を示す斜視図である。
【００１４】
図２から明らかなとおり、本発明の部材は全体がイカの形状として、すなわち、長方形形状の部分（３０ｃ、３０ｄ、３０ｅ、３０ｆを頂点とする長方形）と、その上に結合した、長方形形状の部分の高さより短い高さを有する略三角形の部分（３０ａ、３０ｂ、３０ｃ、３０ｄを頂点として含む部分）とによって、構成されている。図２に示したように、本発明による集魚部材３０は、突設されている上端３１に左右頂点３０ａ、３０ｂを有し、中間部３２及び下端３３にはそれぞれ一直線上に左右頂点３０ｃ、３０ｄ、３０ｅ、３０ｆを有し、互いに対向する各頂点間の直線距離で会う交差点３４から左右頂点３０ｃ、３０ｄまでの距離Ｒ１、Ｒ２が均等に形成され、また前記上端３１の頂点３０ａ、３０ｂを結ぶ線分の中点から交差点３４までの距離Ｒ３よりも、前記下端３３の左右頂点３０ｂ、３０ｃを結ぶ線分の中点から交差点３４までの距離Ｒ４がより長く形成して、全体としてイカの形状に切り取って形成する。
【００１５】
そして、前記下端３３の左右頂点３０ｅ、３０ｆ間から交差点３４の近くにイカ脚のような効果を奏するために複数の切欠片３５を有するように切って形成する。
【００１６】
前記切欠片３５は、水中にて波作用で生動感のあるように動くことができる程度に所定の長さ及び幅を有するように切って形成するが、このとき、なるべく深く且つ細く切ってあたかも生きて動く生餌であるかのようになるように切って形成することが望ましい。
【００１７】
前記のように形成されるイカ形状の集魚部材３０の上端３１の左右頂点３０ａ、３０ｂと、中間部３２の左右頂点３０ｃ、３０ｄと、下端３３の左右頂点３０ｅ、３０ｆとが互いにそれぞれ対向するように折り曲げた後、前記集魚部材３０の上端の左右頂点３０ａ、３０ｂと、前記中間部の左右側頂点３０ｃ、３０ｄとが折り曲げられた状態で、前記上端の左右頂点３０ａ、３０ｂ部位を釣り糸２３で釣り針２０の頭部２２に結び付けることにより、前記集魚部材３０の中間部の左右頂点３０ｃ、３０ｄが前記釣り針２０の針部２１が形成されている方向と同一方向に固定されるようになる。
【００１８】
次に、前述のように構成された集魚用釣り針部材の作用及び効果を説明する。
【００１９】
図３は、本発明による集魚用釣り針部材の使用状態図である。
【００２０】
同図に示すように、不織布をイカ形状に切り取った集魚部材３０を用いた集魚用釣り針部材において、前記集魚部材３０は上端３１を針部２１と頭部２２からなる釣り針２０の頭部２２に釣り糸２３で固定することで、ルアーフィッシングに当たって淡水釣りや海釣りの誘き寄せ用の部材として用いられる。
【００２１】
前記のように集魚部材３０は下端３３の２つの頂点３０ｅ、３０ｆ間をイカの脚脚状に所定の長さ及び幅に切った複数の切欠片３５を形成することにより、該複数の切欠片３５が水中にて波に応じた波作用によって生動感のあるように動き、これにより生餌と同様に生き生きとしてうねるので、別の餌を用いることなく卓越した魚の誘き寄せ及び集魚効果が得られる。
【００２２】
尚、前述したように本発明の集魚部材は不織布を用いると好ましいが、ここで使用する集魚部材は不織布に限定されるわけではなく、種々の他の材質のものを利用することができる。例えば、魚皮又はイカ皮、さらにゴム皮などで形成したものも同様に好ましい。
【図面の簡単な説明】
【００２３】
【図１】本発明による集魚用部材を示す斜視図。
【図２】本発明の実施形態によるイカ形状の集魚部材を示す展開図。
【図３】本発明による集魚用部材の使用状態を示す斜視図。
【図４】従来の集魚用部材を示す斜視図。
【符号の説明】
【００２４】
２０  釣り針
２１  針部
２２  頭部
２３  釣り糸
３０  集魚部材
３１  上端
３３  下端
３４  交差点
３５  切欠片
【図１】
2006212030.tif 000003
【図２】
2006212030.tif 000004
【図３】
2006212030.tif 000005
【図４】
2006212030.tif 000006